(57)【要約】【課題】  インジケータの視認性、警報音の聞き取り易さ、スイッチの操作性、車室内の意匠等を損なうことなく、ＥＴＣ車載器を車両に搭載でき、しかも、その盗難防止性を確保できるようにする。【解決手段】  運転席用のサンバイザ２が格納位置にあるときにカード挿入口１１ａが車両の後方を向くよう、サンバイザ２内にＥＴＣ車載器１０を収納する。インジケータ１２，１４、操作スイッチ１６，１８、スピーカ２０は、ＥＴＣ車載器１０とは別体で構成し、スピーカ２０は、サンバイザ２が格納位置にあるときに車室内に向けられる面から音を放射するようにサンバイザ２内に収納する。またサンバイザ２の外周端縁の内、サンバイザ２が格納位置にあるときに車両の前方に向けられる側には、インジケータ１２，１４を設け、同じく車両の後方に向けられる側には、操作スイッチ１６，１８を設ける。【選択図】  図１
2006069432.tif 000002
【特許請求の範囲】
【請求項１】
車室内の運転席前方の上部位置に、支持部を介して、窓からの外光の入射を遮断する遮光位置と天井部分への格納位置との間で変位可能に設けられる車両用サンバイザであって、
車載アンテナを介して有料道路自動料金収受システムの路側器との間で料金決済のための無線通信を行うＥＴＣ車載器、を内蔵したことを特徴とする車両用サンバイザ。
【請求項２】
前記ＥＴＣ車載器は、前記路側器との間の無線通信によって料金決済を行うのに必要なデータをＩＣカードから読み出し、決済結果に応じてＩＣカード内のデータを更新するためのカードリーダライタを備え、
該カードリーダライタのＩＣカードの挿入口は、当該サンバイザの外周端縁で、且つ、当該サンバイザが前記格納位置に配置されているときに車両の後方を向く位置、もしくは車両の側方を向く位置に形成されていることを特徴とする請求項１に記載の車両用サンバイザ。
【請求項３】
前記ＥＴＣ車載器の作動状態を車両乗員に報知するための報知手段を備えたことを特徴とする請求項１又は請求項２に記載の車両用サンバイザ。
【請求項４】
前記報知手段は、前記ＥＴＣ車載器とは別体で構成されていることを特徴とする請求項３に記載の車両用サンバイザ。
【請求項５】
前記報知手段として、前記ＥＴＣ車載器の作動状態を光で報知するための発光手段を備え、
該発光手段は、当該サンバイザが前記格納位置にあるときに車両の前方に向けられるサンバイザの外周端縁、及び、当該サンバイザが前記格納位置にあるときに車両の後方に向けられるサンバイザの外周端縁、の少なくとも一方に配置されていることを特徴とする請求項３又は請求項４に記載の車両用サンバイザ。
【請求項６】
前記発光手段は、当該サンバイザが前記格納位置にあるときに車両の前方に向けられるサンバイザの外周端縁、及び、当該サンバイザが前記格納位置にあるときに車両の後方に向けられるサンバイザの外周端縁、の両方にそれぞれ配置されており、
該各外周端縁に配置された発光手段は、互いに連動して動作することを特徴とする請求項５に記載の車両用サンバイザ。
【請求項７】
当該サンバイザが前記格納位置にあるときに車両の後方に向けられるサンバイザの外周端縁に前記発光手段が設けられており、
該発光手段には、当該サンバイザが車両前方の窓から侵入する外光を遮光する遮光位置にあるときに、当該発光手段に外光が入射するのを防止する遮光壁、を設けたことを特徴とする請求項５又は請求項６に記載の車両用サンバイザ。
【請求項８】
当該サンバイザが前記格納位置にあるときに車両の前方に向けられるサンバイザの外周端縁には、凹部が形成されており、該凹部には、前記発光手段の発光部が突出して設けられていることを特徴とする請求項５〜請求項７の何れかに記載の車両用サンバイザ。
【請求項９】
前記報知手段として、前記ＥＴＣ車載器の作動状態を音で報知するためのスピーカを備え、
該スピーカは、当該サンバイザが前記格納位置にあるときに車室内に向けられる面から音を放射するように配置されていることを特徴とする請求項３〜請求項８の何れかに記載の車両用サンバイザ。
【請求項１０】
前記スピーカは、当該サンバイザの長手方向中心部分よりも前記支持部寄りに配置されていることを特徴とする請求項９に記載の車両用サンバイザ。
【請求項１１】
前記ＥＴＣ車載器の操作スイッチを、前記ＥＴＣ車載器とは別体で構成し、
該操作スイッチを、当該サンバイザが前記格納位置にあるときに車両の前方に向けられるサンバイザの外周端縁、若しくは、当該サンバイザが前記格納位置にあるときに車両の後方に向けられるサンバイザの外周端縁に配置してなることを特徴とする請求項１〜請求項１０の何れかに記載の車両用サンバイザ。
【請求項１２】
前記操作スイッチは、当該サンバイザ内部に格納されたスイッチ本体と、外部に露出した操作部とからなり、
該操作部は、当該サンバイザの外周端縁を挟むように断面コの字状に形成されていることを特徴とする請求項１１に記載の車両用サンバイザ。
【請求項１３】
前記支持部は、中空筒状のパイプ部材からなり、前記ＥＴＣ車載器に電源供給を行うための電源線、及び、前記ＥＴＣ車載器に車載アンテナを接続するためのアンテナ線は、前記支持部の内部を通って、当該サンバイザから車両側に引き出されることを特徴とする請求項１〜請求項１２の何れかに記載の車両用サンバイザ。
【発明の詳細な説明】
【技術分野】
【０００１】
本発明は、運転席前方又は側方の窓から車室内に外光（太陽光等）が入射するのを防止する車両用サンバイザに関し、詳しくは、ＥＴＣ車載器を内蔵した車両用サンバイザに関する。
【背景技術】
【０００２】
従来より、有料道路の料金所で車両を停車させることなく通行料金を徴収できるようにした有料道路自動料金収受システム（ＥＴＣ（Electronic Toll Collection）システム）が知られている（例えば、特許文献１等参照）。
【０００３】
このＥＴＣシステムは、有料道路に接地された路側器と、車両に搭載されたＥＴＣ車載器とから構成されており、ＥＴＣ車載器を搭載した車両が有料道路を走行して路側器付近を通過する際には、ＥＴＣ車載器が路側器との間で無線通信を行うことにより、料金決済に必要なデータ（通行者の識別情報等）を路側器側に送信し、路側器側ではそのデータに基づき有料道路を通行した通行者を識別する。
【０００４】
また、ＥＴＣ車載器が路側器との間の無線通信によって料金決済を行うのに必要なデータは、通常、ＥＴＣ車載器とは別体に構成されたＩＣカードに記憶するようにされている。
【０００５】
このため、ＥＴＣ車載器は、通常、路側器との間の無線通信やその無線通信のためのデータ処理を行うための通信制御回路と、ＩＣカードからのデータの読み出し及びＩＣカードへの情報の書き込みを行うカードリーダライタとを、一つの筐体内に一体的に組み込むことによって構成されている（例えば、特許文献２等参照）。
【０００６】
また、ＥＴＣ車載器は、路側器との間で無線通信を行うものであるため、無線通信用のアンテナも必要になるが、ＥＴＣ車載器には、このアンテナを筐体内に組み込んだアンテナ一体型のもの（ＩＣカードを含めて２ピースタイプとも呼ばれる）と、アンテナをＥＴＣ車載器とは別体で構成したアンテナ別体型のもの（ＩＣカードを含めて３ピースタイプとも呼ばれる）が知られている。
【特許文献１】特開平８−２３５４９０号公報
【特許文献２】特開２００１−１８４５３６号公報
【発明の開示】
【発明が解決しようとする課題】
【０００７】
ところで、上記２種類のＥＴＣ車載器のうち、アンテナ一体型（２ピースタイプ）のものは、自動車のインストルメントパネルの上等、路側器との間で直接電波を送受信し得る位置（換言すれば車両の外から見える位置）に設ける必要があるため、ＥＴＣ車載器に設けられたインジケータの視認性を確保したり、ＥＴＣ車載器から発せられた警報音を聞き取り易くする、といったことはできるものの、車室内の意匠を損なうとか、盗難防止性に劣る、といった問題があった。
【０００８】
一方、アンテナ別体型（３ピースタイプ）のものは、アンテナだけを路側器との間で直接電波を送受信し得る位置に設ければよく、ＥＴＣ車載器自体は、車室内の任意の位置に、外から隠れるように設けることができるため、盗難防止性を向上することができ、しかも、車室内の意匠に影響を与えるのを防止できる。
【０００９】
しかし、このようにＥＴＣ車載器を車両の外から隠れるように配置すると、ＥＴＣ車載器のインジケータが運転者等の乗員から見え難くなるとか、ＥＴＣ車載器からの警報音が聞き取り難くなる、といった問題が生じ、また、ＥＴＣ車載器の操作性が低下するという問題もある。
【００１０】
本発明は、こうした問題に鑑みなされたものであり、ＥＴＣ車載器を車両に搭載するに当たって、インジケータの視認性、警報音の聞き取り易さ、スイッチの操作性、車室内の意匠等を損なうことなく、ＥＴＣ車載器を車両に搭載でき、しかも、その盗難防止性を確保できるようにすることを目的とする。
【課題を解決するための手段】
【００１１】
係る目的を達成するためになされた請求項１に記載の発明は、車室内の運転席前方の上部位置に、支持部を介して、窓からの外光の入射を遮断する遮光位置と天井部分への格納位置との間で変位可能に設けられる車両用サンバイザであり、その内部に、車載アンテナを介して有料道路自動料金収受システムの路側器との間で料金決済のための無線通信を行うＥＴＣ車載器を設けたことを特徴とする。
【００１２】
従って、本発明の車両用サンバイザを用いれば、運転者が見易く、また、スイッチ操作等もし易い、運転席前方の上部位置に、ＥＴＣ車載器を配置することができる。従って、ＥＴＣ車載器にインジケータが設けられている場合には、運転者によるインジケータの視認性を確保することができ、ＥＴＣ車載器が警報音を発生するように構成されている場合には、運転者が警報音を聞き取り易くすることができ、ＥＴＣ車載器に操作用のスイッチが設けられている場合には、運転者はそのスイッチ操作を容易に行うことができる。
【００１３】
また、ＥＴＣ車載器は、外見上はサンバイザであることから、本発明の車両用サンバイザを用いれば、車室内の意匠を損なうことなく、車両にＥＴＣ車載器を搭載することができるようになり、しかも、車両の外からはサンバイザにＥＴＣ車載器が内蔵されていることを確認できないことから、ＥＴＣ車載器の盗難防止性を向上することもできる。
【００１４】
ここで、ＥＴＣ車載器が、上述した従来のものと同様、路側器との間の無線通信によって料金決済を行うのに必要なデータをＩＣカードから読み出し、決済結果に応じてＩＣカード内のデータを更新するためのカードリーダライタを備えている場合、本発明の車両用サンバイザには、カードリーダライタのＩＣカードの挿入口を設ける必要があるが、この場合、ＩＣカードの挿入口は、請求項２に記載のように、サンバイザの外周端縁で、且つ、サンバイザが格納位置に配置されているときに車両の後方を向く位置もしくは、車両の側方を向く位置に形成することが望ましい。
【００１５】
つまり、車両用サンバイザは、通常、格納位置に配置されており、車室外から入射する外光が運転の妨げになるような場合に、運転者の操作によって、その外光を遮光可能な遮光位置に配置されることから、サンバイザの外周端縁で、且つ、サンバイザが格納位置に配置されているときに車両の後方を向く位置に、ＩＣカードの挿入口を設けるようにすれば、運転者は、サンバイザを格納位置から変位させることなく、ＥＴＣ車載器に対するＩＣカードの着脱操作をできるようになり、その際の操作性を向上できる。
【００１６】
また、サンバイザの外周端縁で、且つ、サンバイザが格納位置に配置されているときに車両の側方（車両の外側もしくは、内側）を向く位置に、ＩＣカードの挿入孔を設けるようにした場合でも、運転者はサンバイザを格納位置から少しだけ変位させることにより、ＥＴＣ車載器に対するＩＣカードの着脱操作をできるようになり、その際の操作性を確保できる。
【００１７】
そして、ＩＣカードの挿入口をこのように形成すれば、車両のフロントガラス越しにその挿入口が見えるようなことはないので、サンバイザ（ＥＴＣ車載器）やＩＣカードの盗難防止性を確保することもできる。
【００１８】
次に、請求項３に記載の車両用サンバイザは、請求項１又は請求項２に記載のものにおいて、ＥＴＣ車載器の作動状態を車両乗員に報知するための報知手段を備えたことを特徴とする。従って、この車両用サンバイザを用いれば、運転者は、ＥＴＣ車載器の作動状態（例えばＩＣカードの挿入状態等）を知ることができる。
【００１９】
ここで、この報知手段は、サンバイザに内蔵する際にＥＴＣ車載器と一体的に構成するようにしてもよいが、より好ましくは、請求項４に記載のように、ＥＴＣ車載器とは別体で構成するとよい。
【００２０】
つまり、報知手段をＥＴＣ車載器と別体で構成すれば、サンバイザへの報知手段の配置位置を任意に設定することができるようになることから、本発明の車両用サンバイザの設計の自由度を高めることができる。
【００２１】
また、報知手段としては、ＥＴＣ車載器の作動状態を光で報知するために発光手段にて構成するようにしても良く、或いは、ＥＴＣ車載器の作動状態を音で報知するためにスピーカにて構成するようにしてもよく、或いは、これらの両方を用いて構成するようにしてもよいが、報知手段を発光手段にて構成する場合には、請求項５に記載のように、サンバイザが格納位置にあるときに車両の前方に向けられるサンバイザの外周端縁、及び、サンバイザが格納位置にあるときに車両の後方に向けられるサンバイザの外周端縁、の少なくとも一方に、発光手段を設けるようにするとよい。
【００２２】
つまり、サンバイザが格納位置にあるときに車両の前方に向けられるサンバイザの外周端縁に発光手段を設けた場合、サンバイザが格納位置にあるときと、サンバイザがフロントガラスからの入射光を遮光する遮光位置（以下、前方遮光位置という）に配置されたときには、運転席前方の上部位置（車両のフロントガラスと天井との境界付近）に発光手段が配置され、サンバイザが運転席横の窓からの入射光を遮光する遮光位置（以下、側方遮光位置という）に配置されたときには、運転席側方の上部位置（運転席横の窓と天井との境界付近）に発光手段が配置される。
【００２３】
また、サンバイザが格納位置にあるときに車両の後方に向けられるサンバイザの外周端縁に発光手段を設けた場合、サンバイザが格納位置にあるときには、運転席前方の天井部分に発光手段が配置され、サンバイザが前方遮光位置若しくは側方遮光位置に配置されたときには、サンバイザの下端に発光手段が配置される。
【００２４】
従って、報知手段として発光手段を用いる場合、その発光手段を、請求項５に記載のように配置するようにすれば、運転者は、発光手段の点灯状態を容易に確認することができるようになり、ＥＴＣ車載器の作動状態を容易に検知することができるようになる。
【００２５】
また、報知手段として発光手段を用いる場合、発光手段は、サンバイザが格納位置にあるときに車両の前方に向けられるサンバイザの外周端縁と、サンバイザが格納位置にあるときに車両の後方に向けられるサンバイザの外周端縁との両方に配置するようにしてもよいが、この場合、各外周端縁に配置した発光手段は、個々に異なる作動状態を報知するのではなく、請求項６に記載のように、互いに連動して動作することにより、ＥＴＣ車載器の同一の作動状態を報知するようにすることが望ましい。
【００２６】
つまり、このようにすれば、運転者は、何れかの外周端縁に配置した発光手段の点灯状態からＥＴＣ車載器の作動状態を確認することができることから、サンバイザの位置によらずＥＴＣ車載器の作動状態を確認することができるようになり、しかも、各外周端縁に配置された発光手段の点灯状態は同じになるため、運転者が、発光手段の点灯状態からＥＴＣ車載器の作動状態を誤認識するのを防止できる。
【００２７】
一方、サンバイザが格納位置にあるときに車両の後方に向けられるサンバイザの外周端縁に発光手段を配置した場合、サンバイザが前方遮光位置に配置された際には、フロントガラスから入射してくる外光（太陽光等）によって、発光手段の点灯状態が見難くなることが考えられる。
【００２８】
そこで、このように、サンバイザが格納位置にあるときに車両の後方に向けられるサンバイザの外周端縁に発光手段を配置する場合には、請求項７に記載のように、発光手段には、サンバイザが前方遮光位置にあるときに発光手段に外光が入射するのを防止するための遮光壁を設けるようにするとよい。
【００２９】
つまり、このように発光手段に遮光壁を設けるようにすれば、サンバイザが前方遮光位置に配置された際に、フロントガラスからの入射光が発光手段の発光部に入射して、運転者がその点灯状態を確認できなくなるのを防止することができる。
【００３０】
また、サンバイザが格納位置にあるときに車両の前方に向けられるサンバイザの外周端縁に発光手段を配置する場合には、請求項８に記載のように、サンバイザにおける発光手段の配置位置には、凹部を設け、その凹部に、発光手段の発光部が突出されるように、発光手段をサンバイザに設けるようにするとよい。
【００３１】
つまり、サンバイザが格納位置にあるときに車両の前方に向けられるサンバイザの外周端縁に発光手段を配置する場合、その発光手段の配置場所は、サンバイザを格納位置から前方遮光位置に変位（回動）させる際にサンバイザの支軸付近となるので、サンバイザの外周端縁に発光手段をそのまま取り付けると、サンバイザを変位させる際に発光手段が邪魔になることが考えられる。
【００３２】
しかし、請求項８に記載のように、サンバイザにおける発光手段の設置場所に凹部を形成し、その凹部に発光手段の発光部を突出させれば、サンバイザを変位させる際に発光手段が邪魔になるようなことはなく、サンバイザに発光手段を設けることによってサンバイザの使い勝手が悪くなるのを防止できる。
【００３３】
また次に、報知手段としてスピーカを用いる場合、このスピーカは、請求項９に記載のように、サンバイザが格納位置にあるときに車室内に向けられる面（換言すれば、天井側ではない面）から音を放射するように配置することが望ましい。
【００３４】
つまり、サンバイザは、通常、格納位置に配置されることから、スピーカを請求項９に記載のように配置すれば、運転者は、スピーカからの報知音を聞き易くなり、その報知音からＥＴＣ車載器の作動状態を良好に把握することができるようになる。
【００３５】
なお、このようにサンバイザにスピーカを設ける場合、スピーカは、請求項１０に記載のように、サンバイザの長手方向中心部分よりも支持部寄りに配置するとよい。
つまり、スピーカを、サンバイザの長手方向で支持部から離れた位置に配置した場合、サンバイザが格納位置や前方遮光位置にある時には、スピーカは、車両の左右方向の中心位置付近に配置されるが、サンバイザが側方遮光位置にあるときには、スピーカは、運転席横の窓付近に配置されることになるため、スピーカからの報知音の発生位置は、サンバイザの配置位置によって大きく変化し、運転者に違和感を与えてしまう。
【００３６】
しかし、請求項１０に記載のように、スピーカを、サンバイザの長手方向中心部分よりも支持部寄りに配置するようにすれば、サンバイザを格納位置から前方遮光位置或いは側方遮光位置に変位させた際に、スピーカの位置が大きく変化するのを防止し、スピーカからの報知音の発生位置が変化することによって運転者に違和感を与えるのを防止できる。
【００３７】
また、この場合、特に、スピーカを、支持部付近、より好ましくは、サンバイザの支持部側端部位置に配置するようにすれば、運転者から見て、スピーカからの報知音の発生位置を略同一にすることができる。
【００３８】
ところで、ＥＴＣ車載器には、通常、操作スイッチが設けられるが、この操作スイッチについては、請求項１１に記載のように、上述した報知手段と同様、ＥＴＣ車載器とは別体で構成し、サンバイザが格納位置にあるときに車両の前方に向けられるサンバイザの外周端縁、若しくは、サンバイザが格納位置にあるときに車両の後方に向けられるサンバイザの外周端縁に配置するとよい。
【００３９】
そして、この場合、特に、請求項１２に記載のように、操作スイッチを、サンバイザ内部に格納されたスイッチ本体と、外部に露出した操作部とから構成し、その操作部を、サンバイザの外周端縁を挟むように断面コの字状に形成するようにすれば、サンバイザが格納位置、前方遮光位置、側方遮光位置の何れの位置に配置されても、運転者は操作スイッチを容易に操作できるようになる。
【００４０】
つまり、このように、操作スイッチの操作部を、断面コの字状に形成し、サンバイザの外周端縁を挟むように配置すれば、運転者は、サンバイザの表・裏面の何れの側からでも操作部を介して操作スイッチを操作できるようになるのである。
【００４１】
また次に、本発明のようにサンバイザ内にＥＴＣ車載器を組み込む場合、このＥＴＣ車載器には、車両側から動作用の電源を供給したり、或いは、路側器との間の通信のために車載アンテナを接続する必要があるが、このための電源線やアンテナ線については、請求項１３に記載のように、サンバイザを支持する支持部を中空筒状のパイプ部材から構成し、その支持部の内部に挿通するようにすればよい。つまり、このようにすれば、サンバイザ内のＥＴＣ車載器から車両側に電源線及びアンテナ線を簡単に引き出すことができる。
【発明を実施するための最良の形態】
【００４２】
以下に本発明の実施形態を図面と共に説明する。
図１は、本発明が適用された実施形態の車両用サンバイザ（以下単にサンバイザという）２の内部構成を表す説明図であり、図２は、このサンバイザ２の車両への取付状態及び使用状態を表す説明図である。
【００４３】
本実施形態のサンバイザ２は、フロントガラスや運転席横の窓から車室内に入射する外光（太陽光等）を遮断するために、運転席前方のフロントガラスの上部端部位置に支柱４を介して取り付けられる運転席用のサンバイザであり、通常は、支柱４及び支持棒６を介して、サンバイザ２の長手方向の一辺を支軸として回動自在に運転席前方の天井部分に固定され、その片面が車両の天井に当接するよう回動させることで、車両の天井部分に格納される周知のものである（図２（ａ）参照）。
【００４４】
図１（ａ）は、サンバイザ２が車両の天井部分に格納されて、図２（ａ）の格納位置にあるときに、その内部をサンバイザ２の上方から見た状態を表しており、図の上方が車両の前方となっている。
【００４５】
この図１（ａ）に示す如く、サンバイザ２の内部には、図示しない車載アンテナを介して有料道路自動料金収受システムの路側器との間で料金決済のための無線通信を行うＥＴＣ車載器１０が設けられている。
【００４６】
このＥＴＣ車載器１０は、路側器との間の無線通信を行うための図示しない通信制御回路と、その無線通信によって料金決済を行うのに必要なデータをＩＣカードから読み出し、決済結果に応じてＩＣカード内のデータを更新するためのカードリーダライタ１１とを、共通の基板若しくは筐体に組み付けることにより一体化したものであり、カードリーダライタ１１のカード挿入口１１ａが、サンバイザ２の外周端縁で開口し、且つ、サンバイザ２が格納位置にあるときに車両の後方（図１（ａ）では下方）を向くよう、サンバイザ２に組み付けられている。
【００４７】
また、このＥＴＣ車載器１０には、ＥＴＣ車載器１０の作動状態（詳しくは、ＩＣカードの挿入状態、料金の支払い結果、異常状態等）を音声で報知するためのスピーカ２０、このスピーカ２０による報知音と連動して決済結果の正常・異常等を光学的に報知するためのＬＥＤからなる２つのインジケータ１２，１４、及び、外部操作用の２つの操作スイッチ１６，１８が設けられるが、これら各部は、ＥＴＣ車載器１０本体とは別体で構成されて、サンバイザ２に組み付けられている。
【００４８】
すなわち、スピーカ２０は、サンバイザ２が格納位置にあるときに車室内に向けられる面から音を放射するようにサンバイザ２内に格納されており、２つのインジケータ１２，１４は、サンバイザ２が格納位置にあるときに車両の前方に向けられる側のサンバイザ２の外周端縁に取り付けられており、操作スイッチ１６，１８は、サンバイザ２が格納位置にあるときに車両の後方に向けられる側のサンバイザ２の外周端縁に取り付けられている。
【００４９】
なお、スピーカ２０は、運転者が聞こえる報知音の位置やその音量が、サンバイザ２の配置位置によって大きく変化することのないよう、サンバイザ２の長手方向で支柱４寄りの端部位置に配置されている。
【００５０】
また、２つのインジケータ１２，１４は、例えば、緑色とオレンジ色というように、互いに異なる色で発光するＬＥＤにて構成されている。そして、サンバイザ２のインジケータ１２，１４の取付部分は、サンバイザ２の外周の一部を内側に凹ませた凹部８となっており、インジケータ１２，１４は、その発光部が凹部８内に突出するよう、サンバイザ２に固定されている。
【００５１】
また、操作スイッチ１６，１８は、例えば、スピーカ２０からの音量を調整したり、過去の決済結果を確認するために、運転者によって操作されるものであるが、本実施形態では、サンバイザ２が、図２（ａ）に示す格納位置、図２（ｂ）に示す前方遮光位置、図２（ｃ）に示す側方遮光位置、の何れの位置に配置されても、運転者が容易に操作できるように構成されている。
【００５２】
つまり、図１（ｂ）に示すように、操作スイッチ１６，１８は、サンバイザ２内に固定されるスイッチ本体１６ａ，１８ａと、このスイッチ本体１６ａ，１８ａに突設された押圧操作用の操作部１６ｂ，１８ｂとから構成され、この操作部１６ｂ，１８ｂを、サンバイザ２の外周端縁を挟むように断面コの字状に形成することによって、サンバイザ２のどちらの面からでも操作できるようにされているのである。
【００５３】
また、ＥＴＣ車載器１０には、車載アンテナを接続するためのアンテナ線Ｌａや、車両に搭載されたバッテリから電源供給を行うための電源線Ｌｂも接続されるが、これらの線Ｌａ，Ｌｂは、サンバイザ２を支持する支柱４の内部を通って、車両側に引き出されている。
【００５４】
以上説明したように、本実施形態のサンバイザ２によれば、ＥＴＣ車載器１０が内部に収納されているが、外見上はサンバイザであることから、車室内の意匠を損なうことなく車両にＥＴＣ車載器１０を搭載することができるようになり、しかも、車両の外からはサンバイザ２にＥＴＣ車載器１０が内蔵されていることを確認しにくいことから、ＥＴＣ車載器１０の盗難防止性を向上することもできる。
【００５５】
また、本実施形態のＥＴＣ車載器１０は、カードリーダライタ１１を備えているが、そのカード挿入口１１ａは、サンバイザ２が格納位置（図２（ａ）参照）に配置されているときに車両の後方を向くように、サンバイザ２の外周端縁に設けられていることから、運転者がＥＴＣ車載器１０にＩＣカードを着脱する際の操作性を向上できる。また、車両の駐車時等にカード挿入口がフロントガラス越しに見えるようなことはないので、ＩＣカードの盗難防止性を向上することもできる。
【００５６】
また、報知手段（詳しくは発光手段）としてのインジケータ１２，１４は、サンバイザ２が格納位置（図２（ａ）参照）にあるときに車両の前方に向けられるサンバイザの外周端縁に設けられていることから、サンバイザ２が格納位置（図２（ａ）参照）若しくは前方遮光位置（図２（ｂ）参照）にあるときには、運転席前方のフロントガラスと天井との境界付近に配置され、サンバイザが側方遮光位置（図２（ｃ）参照）にあるときには、運転席横の窓と天井との境界付近に配置されることになる。
【００５７】
そして、このインジケータ１２，１４の発光部は、サンバイザ２の外周端縁に形成された凹部８に配置されていることから、運転者は、サンバイザ２が図２に示した何れの位置にあっても、インジケータ１２，１４の点灯状態を確認することができるようになる。
【００５８】
また、インジケータ１２，１４は、サンバイザ２の全体の外周部分から外に突き出されることはないので、サンバイザ２を変位させる際にインジケータ１２，１４が邪魔になることはない。
【００５９】
また、本実施形態のサンバイザ２には、報知手段として、スピーカ２０も設けられており、しかも、このスピーカ２０は、サンバイザ２が格納位置（図２（ａ）参照）にあるときに車室内に向けられる面（換言すれば、天井側ではない面）から音を放射するように、サンバイザ２内に収納されている。
【００６０】
従って、図３に示す如く、運転者は、サンバイザ２が格納位置（図２（ａ）参照）にある通常時には、スピーカ２０からの報知音を直接聞くことができ、サンバイザ２が前方遮光位置（図２（ｂ）参照）にある時には、スピーカ２０から発せされ、フロントガラスやインストルメントパネルの上部で反射した報知音を聞くことができる。また、図示しないが、サンバイザ２が側方遮断位置（図２（ｃ）参照）にあるときには、スピーカ２０からの報知音を直接聞くことができる。
【００６１】
そして、特に、本実施形態では、スピーカ２０を、サンバイザ２の長手方向で支柱４寄りの端部位置に配置しているので、サンバイザ２が図２の何れの位置に配置されても、運転者から見てス、ピーカ２０からの報知音が聞こえる位置やその音量を略同じにすることができる。よって、運転者は、スピーカ２０からの報知音の聞こえ方が変化することによって違和感を感じるようなことはなく、本実施形態のサンバイザ２（換言すればＥＴＣ車載器１０）によれば、運転者に対する音声案内を良好に行うことができる。
【００６２】
また更に、本実施形態では、操作スイッチ１６，１８の操作部１６ｂ，１８ｂを、サンバイザ２の外周端縁を挟むように、断面コの字状に形成していることから、運転者は、サンバイザ２が図２に示す何れの位置に配置されていても、指先で操作スイッチ１６，１８を操作することができる。よって、本実施形態によれば、ＥＴＣ車載器１０の操作性も確保することができる。
【００６３】
以上、本発明の一実施形態について説明したが、本発明は、上記実施形態に限定されるものではなく、本発明の技術範囲内にて種々の態様を採ることができる。
例えば、上記実施形態では、インジケータ１２，１４は、サンバイザ２が格納位置（図２（ａ）参照）にあるときに車両の前方に向けられる側のサンバイザ２の外周端縁に取り付けられるものとして説明したが、図４（ａ）に示す如く、このインジケータ１２，１４に代えて、サンバイザ２が格納位置にあるときに車両の後方に向けられる側のサンバイザ２の外周端縁に、インジケータ２２，２４を設けるようにしてもよい。
【００６４】
但し、この場合、図５（ａ）に示すようにサンバイザ２が格納位置にあるときには、運転者は、その後端部を見ることによってインジケータ２２，２４の点灯状態を容易に確認することができるが、図５（ｂ）に示すようにサンバイザ２が前方遮光位置にあるときには、フロントガラスから入射する外光（太陽光等）がインジケータ２２，２４に入射して、運転者がその点灯状態を確認できなくなることも考えられる。
【００６５】
そこで、このように、サンバイザ２が格納位置（図５（ａ）参照）にあるときに車両の後方に向けられる側のサンバイザ２の外周端縁にインジケータ２２，２４を設ける場合には、例えば、図４（ｂ）に示す如く、インジケータ２２，２４を構成している発光素子（ＬＥＤ、電球等）２２ａ，２４ａの周囲を所定の色を有する光透過性樹脂からなるカバー２２ｂ，２４ｂで囲み、そのカバー２２ｂ，２４ｂのフロントガラス側（詳しくはサンバイザ２が前方遮光位置に配置された際にフロントガラスに対向する側）には、遮光壁２２ｃ，２４ｃを設けるようにするとよい。
【００６６】
つまり、このようにすれば、図５（ｃ）に示す如く、サンバイザ２が前方遮光位置（図５（ｂ）参照）にあるときに、フロントガラスを通ってインジケータ２２，２４に入射してくる外光を遮光壁２２ｃ，２４ｃにより遮断することができるようになり、運転者が外光によってインジケータ２２，２４の点灯状態を確認できなくなるのを防止することができる。
【００６７】
また、図６に示すように、サンバイザ２には、図１に示したインジケータ１２，１４と、図４に示したインジケータ２２，２４との両方を設けるようにしてもよい。そして、このように、サンバイザ２が格納位置にあるときに車両の前方及び後方に向けられるサンバイザ２の外周端縁側に、インジケータ１２，１４及び２２，２４を設けるようにすれば、運転者によるインジケータの視認性をより向上することができる。
【００６８】
なお、この場合、インジケータ１２と２２、及び、インジケータ１４と２４は、それぞれ、同じ色で点灯するように構成し、しかも、ＥＴＣ車載器１０は、これらを互いに連動して点灯或いは消灯させるように構成するとよい。つまり、このようにすれば、インジケータ１２と２２、及び、インジケータ１４と２４は、それぞれ、サンバイザ２の両端縁で連動して点灯或いは消灯することになり、運転者は、これら各インジケータの点灯状態から、ＥＴＣ車載器１０の作動状態を正確に把握することができるようになる。
【図面の簡単な説明】
【００６９】
【図１】実施形態のサンバイザの内部構成を表す説明図である。
【図２】図１のサンバイザの車室内への取付状態及び使用状態を表す説明図である。
【図３】図１のサンバイザを車両の横方向から見た状態を表す説明図である。
【図４】図１のサンバイザに対してインジケータの取り付け箇所を変更したサンバイザの内部構成を表す説明図である。
【図５】図４のサンバイザの車室内への取付状態及び使用状態を表す説明図である。
【図６】図１及び図４に示すインジケータの両方を備えたサンバイザの内部構成を表す説明図である。
【符号の説明】
【００７０】
２…サンバイザ、４…支柱、６…支持棒、８…凹部、１０…ＥＴＣ車載器、１１…カードリーダライタ、１１ａ…カード挿入口、１２，１４…インジケータ、１６，１８…操作スイッチ、１６ａ，１８ａ…スイッチ本体、１６ｂ，１８ｂ…操作部、２０…スピーカ、２２，２４…インジケータ、２２ａ，２４ａ…発光素子、２２ｂ，２４ｂ…カバー、２２ｃ，２４ｃ…遮光壁、Ｌａ…アンテナ線、Ｌｂ…電源線。
【図１】
2006069432.tif 000003
【図３】
2006069432.tif 000004
【図４】
2006069432.tif 000005
【図６】
2006069432.tif 000006
【図２】
2006069432.tif 000007
【図５】
2006069432.tif 000008